(57)【要約】【課題】  常時は非表示状態にある情報を簡単な操作で容易に確認することにある。【解決手段】  実施の形態によれば、プラント設備系の各監視対象機器に関連する監視データのうち、常時は非表示の特定監視データを除いた監視データを表示し監視する監視制御装置であって、プラント監視画面とマウスオーバー機能選択及び特定監視データ指定を設定可能とする領域を持った機能選択画面とを有する初期監視画面を表示する初期監視画面表示手段４４ａと、前記領域に設定入力されるマウスオーバー機能の選択を判定する機能選択判定手段４４ｂと、マウスオーバー機能の選択判定時、複数の特定監視データの中から特定監視データの領域が指定され、かつ、機器シンボルのタッチを判断し、監視データ記憶部に予め記憶される該当監視対象機器の特定監視データを取り込んで特定監視画面を作成し表示する画面作成処理手段４４ｃ，４４ｄとを備えた構成である。【選択図】図２
2014035732.tif 000002
【特許請求の範囲】
【請求項１】
プラント設備系を構成する複数の監視対象機器からそれぞれ監視データを取り込み、前記複数の監視対象機器の機器シンボルを連ねたプラント監視画面の機器シンボル近くに常時は非表示の特定監視データを除いた監視データを表示し監視する監視制御装置において、
前記各監視対象機器の複数の監視データを取り込んで記憶する監視データ記憶部と、前記プラント監視画面とマウスオーバー機能の選択及び前記特定監視データの指定を設定可能とする領域を持った機能選択画面とからなる初期監視画面を表示する初期監視画面表示手段と、前記機能選択画面の前記領域に設定入力されるマウスオーバー機能の選択を判定する機能選択判定手段と、前記マウスオーバー機能の選択判定時、前記機能選択画面に表示される複数の特定監視データの中から特定監視データの領域が指定され、かつ、所望の前記機器シンボルのタッチを判断し、前記監視データ記憶部から該当監視対象機器の特定監視データを取り込んで特定監視画面を作成し表示する画面作成処理手段とを備えたことを特徴とする監視制御装置。
【請求項２】
プラント設備系を構成する複数の監視対象機器からそれぞれ監視データを取り込み、前記複数の監視対象機器の機器シンボルを連ねたプラント監視画面の機器シンボル近くに常時は非表示の特定監視データを除いた監視データを表示し監視する監視制御装置において、
前記監視対象機器ごとの関連する複数の監視データを記憶する監視データ記憶部及び当該監視対象機器ごとの特定監視データを規定する機器管理テーブルと、少なくとも複数の監視対象機器の機器シンボルを連ねたプラント監視画面を初期監視画面として表示する初期監視画面表示手段と、前記特定の機器シンボルにタッチしたとき、前記機器管理テーブルからタッチされた機器シンボルに対応する監視対象機器に関するマウスオーバー機能の選択及び特定監視データの指定を設定可能とする領域を持った機能選択画面を作成し、初期監視画面の所定の位置に表示する監視機器特定判断手段と、前記機能選択画面の前記領域に設定入力されるマウスオーバー機能の選択を判定する機能選択判定手段と、前記マウスオーバー機能の選択判定時、前記機能選択画面に表示される複数の特定監視データの中から特定監視データの領域が指定されとき、前記監視データ記憶部から該当監視対象機器に関連する特定監視データを読み取って特定監視画面を作成し表示する画面作成処理手段とを備えたことを特徴とする監視制御装置。
【請求項３】
請求項１または請求項２に記載の監視制御装置において、
前記領域は、チェック用ボックスであることを特徴とする監視制御装置。
【請求項４】
請求項１または請求項２に記載の監視制御装置において、
前記画面作成処理手段は、所定の領域にタッチされた機器シンボルに対応する指定された監視対象機器の特定監視データを書込んだシンボル付加画面を作成し、当該機器シンボルに付加するように表示することを特徴とする監視制御装置。
【請求項５】
請求項４に記載の監視制御装置において、
前記シンボル付加画面にマウスポインタを重ね合わせたことを検出し、前記シンボル付加画面に代えて、前記指定された監視対象機器の特定監視データの状態を表す表示画面全体に拡大した拡大画面を作成し表示することを特徴とする監視制御装置。
【請求項６】
複数の監視対象機器を備えたプラント設備系と、このプラント設備系を構成する前記各監視対象機器から関連する監視データを随時取り込んで蓄積し、外部からの要求または所定の周期ごとに前記各監視対象機器の関連する監視データを通信用ネットワークに送信するサーバシステムと、このサーバシステムから送信されてくる各監視対象機器に関連する監視データを取り込み、前記複数の監視対象機器の機器シンボルを連ねたプラント監視画面の機器シンボル近くに特定監視データを除く常時監視データを表示し監視する前記請求項１ないし請求項５の何れか一項に記載された構成を有する監視制御装置とを備えたことを特徴とするプラントの監視制御システム。
【発明の詳細な説明】
【技術分野】
【０００１】
本発明の実施形態は、プラントの監視制御装置及び監視制御システムに関する。
【背景技術】
【０００２】
従来、インターネットを利用した商品販売サービスシステムとしては、パソコンを所持するユーザがサーバから提供される販売商品を表示し、その表示された販売商品の特定部分にマウスカーソルを重ね合わせと、販売商品の特定部分に関連した情報がサーバから提供され、パソコン画面に表示できるマウスオーバーによる表示技術が提案されている。
【０００３】
しかしながら、このようなマウスオーバーによる表示技術は、予め捕捉的に説明すべき情報を保存しておき、ユーザから要求があったとき、販売商品の特定部分に関連する情報を読み出し表示させ、ユーザに商品の更なる知識ないし内容の理解を促すことにある。
【０００４】
従って、マウスオーバーによる表示技術は、販売商品や広告内容の説明文に対して、更なる知識ないし内容の理解を促すための情報提供であって、複数の監視対象機器の状態を監視するプラントの監視制御システムには適用されていない。
【０００５】
ところで、一般的なプラントの監視制御システムは、監視制御装置の監視画面に、複数の監視対象機器を模擬したシンボルを連ねたプラント監視系統の画面が表示され、監視員が各監視対象機器のシンボルを見ながら、監視対象機器の監視や操作を行っている。
【０００６】
例えば、監視対象機器の監視は、当該監視対象機器シンボルの近くの状態表示窓に動作状態を表す数値情報が表示されるので、その数値情報を読み取ることで監視することができる。
【０００７】
また、監視対象機器の操作は、当該監視対象機器シンボルをクリックし、運転操作画面を出し、その運転操作画面には表記される起動（運転開始）、運転停止、運転モード等の何れかを選択し、運転操作を行っている。
【０００８】
さらに、監視対象機器シンボルの近くに故障表示用シンボルが設けられ、当該シンボルの色変化から監視対象機器の故障の有無を監視することができる。
【０００９】
従って、監視制御装置の監視画面には、監視対象機器の動作状態や故障などの情報が表示されているが、監視対象機器に関連する例えば時間軸で変化するトレンド情報、監視カメラで撮影された撮影データ（以下、ＩＴＶ情報という）、さらには監視対象機器特有の監視情報などが表示されていない。
【００１０】
その理由は、以上のような情報が監視画面に表示しようとした場合、監視画面が見にくくなったり、プラント設備全体の監視ができなくなり、必要なときに迅速に最適な監視・操作ができなくなる問題がある。
【００１１】
そこで、監視員は、常時表示しない情報を確認する際、何段階かの手順・操作を踏まなければならないなど、必要な情報を簡単に確認できないとか、あるいは確認操作が煩雑なために監視員の負担が大きくなるなどの問題がある。
【先行技術文献】
【特許文献】
【００１２】
【特許文献１】特開２００１−３４４５２１号公報
【特許文献２】特開２００１−２４９６０７号公報
【発明の概要】
【発明が解決しようとする課題】
【００１３】
本発明が解決しようとする課題は、常時は非表示状態にある情報を簡単な操作で容易に確認可能とすることで、オペレータの操作性が向上し、確認操作の負担を大幅に低減できるプラントの監視制御装置及び監視制御システムを提供することにある。
【課題を解決するための手段】
【００１４】
上記課題を解決するために、実施形態に係るプラントの監視制御装置は、複数の監視対象機器を備えたプラント設備系から各監視対象機器に関連する監視データを取り込み、前記複数の監視対象機器の機器シンボルを連ねたプラント監視画面の機器シンボル近くに特定監視データを除く常時監視データを表示し監視する監視制御装置であって、前記各監視対象機器の複数の監視データを取り込んで記憶する監視データ記憶部と、前記プラント監視画面とマウスオーバー機能の選択及び前記特定監視データの指定を設定可能とする領域を持った機能選択画面とからなる初期監視画面を表示する初期監視画面表示手段と、前記機能選択画面の前記領域に設定入力されるマウスオーバー機能の選択を判定する機能選択判定手段と、前記マウスオーバー機能の選択判定時、前記機能選択画面に表示される複数の特定監視データの中から特定監視データの領域が指定され、かつ、所望の前記機器シンボルのタッチを判断し、前記監視データ記憶部から該当監視対象機器の特定監視データを取り込んで特定監視画面を作成し表示する画面作成処理手段とを備えた構成である。
【図面の簡単な説明】
【００１５】
【図１】各実施の形態に係るプラントの監視制御システムを概略的に示す構成図。
【図２】実施の形態１に係る監視制御装置の構成を概略的に示す図。
【図３】補助記憶装置におけるフラグデータ記憶部のデータ配列例を示す図。
【図４】機能選択画面の一例を示す図。
【図５】実施の形態１に係る監視制御装置の一連の処理の流れを説明するフロー図。
【図６】実施の形態１に係る監視制御装置の表示部に表示されるプラントの初期監視画面の一例を示す図。
【図７】マウスオーバー機能選択及び特定の監視対象機器の指定のもとに特定監視データ（トレンドデータ）を書込んだシンボル付加画面をシンボルに付加した一例図。
【図８】特定監視データ（トレンドデータ）を拡大して表示画面全体に拡大した図。
【図９】マウスオーバー機能選択及び特定の監視対象機器の指定のもとに特定監視データ（ＩＴＶデータ）を書込んだシンボル付加画面をシンボルに付加した一例図。
【図１０】特定監視データ（ＩＴＶデータ）を拡大して表示画面全体に拡大した図。
【図１１】実施の形態２に係る監視制御装置の構成を示す図。
【図１２】補助記憶装置における機器管理テーブルの一例を示す図。
【図１３】実施の形態２に係る監視制御装置の一連の処理の流れを説明するフロー図。
【発明を実施するための形態】
【００１６】
以下、実施の形態について図面を参照して説明する。  
（実施の形態１）
図１は各実施の形態に係るプラントの監視制御システムの概略構成を示す図である。
【００１７】
プラントの監視制御システムは、ＬＡＮ、ＷＡＮ、ＭＡＮ等を含む通信用ネットワーク１と、この通信ネットワーク１に接続されるプラント設備系２と、同じく通信ネットワーク１に接続されるサーバシステム３及び監視制御装置４とを含む構成である。
【００１８】
プラント設備系２は、各種のプラント設備によって異なるが、例えば上水道の水処理プラント設備であれば、浄化された処理水の供給流量を調整する流量調整弁２１、この流量調整弁２１を介して供給される処理水を貯留するポンプ井２２と、ポンプ井２２の貯留水を送水する送水ポンプ２３と、この送水ポンプ２３から送られてくる処理水を需要家に配水するための配水槽２４とが連結され、さらに、ポンプ井２２にはポンプ井水位計２５、配水槽２４には配水槽水位計２６が設置されている。
【００１９】
２７はポンプ井水位計２５で計測されるポンプ井水位その他処理水の需要状況を考慮しつつ流量調整弁２１や送水ポンプ２３を制御するプログラマブルコントローラ、２８は配水槽水位計２６で計測される配水槽水位データを例えば通信ネットワーク１に伝送する送受信機能を備えたテレメータ装置である。
【００２０】
なお、流量調整弁等２１〜２４は監視対象機器に相当するものである。つまり、プラントの監視制御システムは、需要者の需要状況と各水位計２５，２６で計測される水位とを監視しつつ、ポンプ井２２及び配水槽２４が最適な水位状態となるように流量調整弁２１の開度（流量）や送水ポンプ２３の回転速度（送水量）を制御する。
【００２１】
サーバシステム３は、サーバ処理本体部３１、データベース３２、入力部３３及び表示部３４を含む構成である。
【００２２】
サーバ処理本体部３１は、監視制御装置４で扱う初期監視画面データやプラントの監視上必要な個別画面（部品画面、単体機器画面その他の絵柄画面）データ等を作成する他、プラント設備を構成する監視対象機器から監視に必要な全データを収集し、データベース３２に少なくとも監視対象機器ごとに領域分けし、各監視対象機器に関連する監視データを順次格納していく。
【００２３】
サーバ処理本体部３１は、監視制御装置４から必要な監視画面を含む各種監視データの要求を受けたとき、必要な監視画面や各監視対象機器の監視項目ごとの監視データを提供する他、所定の周期ごとに各監視対象機器の監視項目ごとの監視データを通信ネットワーク１上に配信する。
【００２４】
従って、データベース３２には、少なくともプラントの監視に必要な監視画面データを記憶する画面データ記憶領域の他、監視対象機器毎、かつ、監視項目ごとの時系列的な変化データを順次格納する監視対象データ記憶領域が設けられている。
【００２５】
監視制御装置４は、選択指示、制御処理指示などを入力するキーボード・ポインティングデバイス等の入力部４１と、プログラムデータ記憶部４２と、補助記憶装置４３と、監視制御処理部４４と、表示部４５とを備えている。
【００２６】
プログラムデータ記憶部４２は、ＲＯＭで構成され、簡単な操作により常時は非表示の特定監視データを表示して確認する一連の処理を規定する特定監視処理用プログラムを格納する。
【００２７】
補助記憶装置４３は、図２に示すように、少なくとも機能選択画面（図４参照）を含む初期監視画面データ（図６参照）の他、監視制御システムにて使用する個別画面（部品画面、単体機器画面その他の絵柄画面）データを記憶する監視画面データ管理部４３ａ、監視員の所定画面のクリック操作などを判断してフラグを設定するフラグデータ管理部４３ｂ、前記サーバシステム３から受け取る各監視対象機器に関連する監視データを時系列的に記憶する監視データ記憶部４３ｃ、その他一時的に処理結果のデータ等を記憶する処理データ記憶部（図示せず）等が設けられている。
【００２８】
なお、フラグデータ管理部４３ｂは図３に示すように、監視項目フラグ管理部（同図（ａ）参照）と機器シンボルフラグ管理部（同図（ｂ）参照）とからなる。監視項目フラグ管理部は、マウスオーバ―機能選択フラグ部、特定監視項目ＩＤ及び特定監視項目ＩＤに対応する特定監視データ名、特定監視データフラグ部を有し、機器シンボルフラグ管理部は、機器シンボルＩＤ、シンボルフラグ部、各機器シンボルＩＤにおける特定監視項目ＩＤを有し、これらフラグから監視員による監視画面のクリック操作状態を認識し管理している。
【００２９】
監視制御処理部４４は、機能的には図２に示すように、初期監視画面表示手段４４ａ、機能選択判定手段４４ｂ、特定監視データ指定判断手段４４ｃ、画面作成処理手段４４ｄが設けられている。
【００３０】
初期監視画面表示手段４４ａは、図６に示すごとく表示部４５に対して、従来の一般的なプラント監視画面Ｇ１にマウスオーバー機能の選択及び特定監視データの指定等を行う機能選択画面Ｇ２を付加した初期監視画面Ｇ３を表示する機能をもっている。
【００３１】
前記機能選択画面Ｇ２は、図４に示すように、マウスオーバー機能を選択するチェックボックスＢ１、常時は非表示の特定監視データである，例えばトレンドデータ、ＩＴＶデータその他の特定監視データを指定する指定ボックスＢ２１，Ｂ２２，…を設けた画面である。なお、トレンドデータは、時間軸に沿って時々刻々変化していくデータであって、全体の動きを確認しないと、例えばプラントの状況が把握できない。ＩＴＶデータは、例えばポンプ井２２などの水位状態をＩＴＶで撮影された映像をもって確認可能とする映像データである。その他、監視対象機器ごとに常時は表示しないが監視に必要な重要なデータがある。
【００３２】
機能選択判定手段４４ｂは、機能選択画面Ｇ２に表示されるチェックボックスＢ１にチェックマーク「レ」（選択）を付するクリックの有無からマウスオーバー機能の選択有無を判定する。
【００３３】
特定監視データ指定判断手段４４ｃは、機能選択画面Ｇ２の指定ボックスＢ２１，Ｂ２２、…にチェックマーク「レ」（選択）を付するクリックの有無とプラント監視画面Ｇ１のシンボルタッチとから監視対象機器の特定監視データの指定を判断する機能を持っている。
【００３４】
画面作成処理手段４４ｄは、監視対象機器の特定監視データの指定と判断したとき、タッチシンボルに付加する付加監視画面及び必要に応じて特定監視データを表示部４５に拡大表示する拡大画面を編集処理する機能を持っている。
【００３５】
次に、以上のような監視制御システムを構成する監視制御装置４の作用について、図５を参照して説明する。
【００３６】
先ず、監視制御装置４は、サーバシステム３から配信され、あるいはサーバシステム３に対する要求のもとに該サーバシステム３から監視処理上必要なデータ（画面，監視データ等）を取り込み、監視画面データ記憶部４３ａ及び監視データ記憶部４３ｃに格納されている。
【００３７】
監視制御装置４は、動作が開始すると、プログラムデータ記憶部４２に記憶される特定監視処理用プログラムに基づき、初期監視画面表示手段４４ａを実行する。初期監視画面表示手段４４ａは、図６に示すように、監視画面データ記憶部４３ａから一般的なプラント監視画面Ｇ１にマウスオーバー機能の選択及び特定監視データの指定等を行う機能選択画面Ｇ２を付加した初期監視画面Ｇ３を読み出し、表示部４５に表示する（Ｓ１）。
【００３８】
しかる後、監視制御装置４は機能選択判定手段４４ｂを実行する。機能選択判定手段４４ｂは、初期監視画面Ｇ３の表示後、監視員が入力部４１のマウスカーソルを、機能選択画面Ｇ２のマウスオーバー機能に表示されるチェックボックスＢ１をクリックしチェックマーク「レ」を付したか、すなわちマウスオーバー機能が選択されたか否かを判定する（Ｓ２）。
【００３９】
ここで、監視制御装置４は、チェックボックスＢ１にチェックマーク「レ」が付されていない場合、ステップＳ１に戻り、マウスオーバー機能の選択有無を繰り返し確認するが、チェックマーク「レ」が付されていると判定したとき、特定監視データ指定判断手段４４ｃを実行する。
【００４０】
特定監視データ指定判断手段４４ｃは、マウスオーバー機能選択と判定した後、図３（ａ）に示す監視項目フラグ管理部のマウスオーバー機能選択フラグ部にフラグ「１」を設定した後（Ｓ３）、監視員がマウスカーソルにて機能選択画面Ｇ２の指定ボックスＢ２１、Ｂ２２、…の何れかをクリックしたか、つまり何れの特定監視データの指定ボックスＢ２１、Ｂ２２、…にチェックマーク「レ」が付されたか否かを判断する（Ｓ４ａ〜Ｓ４ｎ）。
【００４１】
ここで、何れかの指定ボックスＢ２１に指定マーク「レ」が付されたとき、当該指定ボックスＢ２１に連なる特定監視項目ＩＤ「０１の特定監視データである「トレンドデータ」に対応するフラグ部にフラグ「１」を設定する（Ｓ５）。
【００４２】
さらに、特定監視データ指定判断手段４４ｃは、特定監視データである「トレンドデータ」のフラグ部にフラグ「１」を設定した後、監視員がマウスカーソルを複数の監視対象機器を模擬したシンボルを連ねたプラント監視画面（監視系統画面）Ｇ１の何れかのシンボルにタッチしたか否かを判断する（Ｓ６）。
【００４３】
特定監視データ指定判断手段４４ｃは、ステップＳ６にてマウスカーソルをポンプ井２２のシンボルにタッチしたとき、当該シンボルにリンクされているシンボルＩＤ「００２」に対応する図３（ｂ）に示す機器シンボルフラグ管理部のフラグ部に「１」を設定するとともに（Ｓ７）、前記ステップＳ５にてフラグの設定した特定監視項目ＩＤが該当機器シンボル［００２］に存在するか判断する（Ｓ８）。ここで、ステップＳ５にてフラグ「１」を設定した特定監視項目ＩＤ（トレンドデータ）が存在したとき、画面作成処理手段４４ｄを実行する。
【００４４】
画面作成処理手段４４ｄは、特定監視項目ＩＤが存在すると判断したとき、ポンプ井２２のシンボルの所定位置に付加すべく、監視画面データ記憶部４３ａから必要な個別画面（例えば絵柄画面）である図７に示すような所定の大きさの枠画面を取り出し、当該枠画面領域内にトレンドデータであるポンプ井２２の水位データを書込むことでシンボル付加画面Ｇ４を作成し表示する（Ｓ９）。
【００４５】
引き続き、画面作成処理手段４４ｄは、監視員がトレンドデータの表示されるシンボル付加画面Ｇ４上にマウスポインタを重ね合わせてクリックしたか（Ｓ１０）、つまり画面拡大指示を入力したか否かを判断し（Ｓ１０）、指示有りと判断したとき、図８に示すように表示部４５の画面全体にトレンドデータであるポンプ井２２の水位データの変化を表す拡大画面Ｇ５を作成し表示する（Ｓ１１）。
【００４６】
しかる後、画面作成処理手段４４ｄは、表示継続の有無を判断し（Ｓ１２）、表示継続有りの場合にはステップＳ１１に戻って拡大画面Ｇ５を表示し続けるが、例えば拡大画面Ｇ５内に形成された消去ボタンＣがクリックされたときには（Ｓ１３）、既に設定されたフラグをクリアする一方、ステップＳ１に戻って図６に示す初期監視画面Ｇ３を表示する。
【００４７】
なお、監視員がマウスカーソルにてＩＴＶデータを表す機能選択画面Ｇ２の指定ボックスＢ２２に指定マーク［レ］を付し、かつ、ポンプ井２２のシンボルをクリックしたとき、図９に示すようにシンボル付加画面Ｇ４を表示し、さらにシンボル付加画面Ｇ４にマウスポインタを重ね合わせると、図１０に示すポンプ井２２の水位状態を表すＩＴＶデータの拡大画面Ｇ５を作成し表示する（Ｓ１１）。
【００４８】
従って、以上のような実施の形態によれば、初期監視画面Ｇ３の中の機能選択画面Ｇ２に表示され特定監視データの指定ボックスＢ２１，…をクリック操作して指定マークを付することによって特定監視項目の特定監視データを表すシンボル付加画面Ｇ４を表示し、さらに、所要の監視対象機器のシンボルにクリックしたとき、拡大画面Ｇ５を作成し表示するので、初期監視画面Ｇ３内に表示される機能選択画面Ｇ２の簡単なクリック操作により、機器シンボルに監視しようとする特定監視データのシンボル付加画面Ｇ４を表示し、さらに必要に応じて拡大表示するので、簡単な操作で特定監視データを確認でき、しかも監視員による操作性を改善でき、ひいては操作負担を大幅に低減することができる。
【００４９】
（実施の形態２）
実施の形態１では、機能選択画面Ｇ２のマウスオーバー機能の選択クリック−特定監視データの指定クリック−シンボルタッチの順序で特定監視データのシンボル付加画面Ｇ４や拡大画面Ｇ５を作成し表示するようにしたが、実施の形態２では、予め各監視対象機器に連なる複数の特定監視データに関する指定ボックスを用意し、先ず最初にプラント監視画面Ｇ１の所要の機器シンボルにタッチしたとき、初期監視画面Ｇ３の所定の位置に、当該機器シンボルに対応する監視対象機器に関連する複数の特定監視データの指定ボックスをもったマウスオーバー機能付きの機能選択画面Ｇ２を表示し、監視員に対してマウスオーバー機能の選択及び特定監視データの指定を促す構成である。
【００５０】
すなわち、実施の形態２は、監視対象機器毎に特定監視項目が異なることを着目し、予め監視対象機器毎に特定監視項目の特定監視データを用意し、最初に監視対象機器を指定し、当該監視対象機器の特定監視データを含むマウスオーバー機能付きの機能選択画面Ｇ２を表示することにある。
【００５１】
図１１は実施の形態２における監視制御装置４の構成を概略的に示す図である。
【００５２】
先ず、補助記憶装置４３には、監視画面データ記憶部４３ａ、フラグデータ管理部４３ｂ、監視データ記憶部４３ｃの他、新たに図１２に示すような機器管理テーブル４３ｄが設けられている。機器管理テーブル４３ｄは、監視対象機器毎に当該機器シンボルＩＤ、特定監視項目ＩＤ、各特定監視項目ＩＤに対応する特定監視データ（トレンドデータ，ＩＴＶデータ等）を規定する機器単位テーブルによって構成される。
【００５３】
監視制御装置４を構成する監視制御処理部４４は、機能的には、初期監視画面表示手段４４ａ、新たに追加される監視機器特定判断手段４４ｅ、機能選択判定手段４４ｂ、特定監視データ指定判断手段４４ｃ、画面作成処理手段４４ｄを含む構成である。
【００５４】
新たに追加された監視機器特定判断手段４４ｅは、プラント監視画面Ｇ１に連なる複数のシンボルの中からタッチされた機器シンボルのＩＤから監視対象機器を特定し、前記機器管理テーブル４３ｄから当該監視対象機器に関連する複数の特定監視データを見つけ出し、特定機器用機能選択画面Ｇ２ａ（図６参照）を表示する機能を持っている。
【００５５】
次に、以上のような監視制御装置４の作用について、図１３を参照して説明する。
【００５６】
監視制御装置４は、動作が開始すると、プログラムデータ記憶部４２に記憶される特定監視処理用プログラムに基づき、初期監視画面表示手段４４ａを実行する。初期監視画面表示手段４４ａは、一般的なプラント監視画面Ｇ１にマウスオーバー機能の選択及び特定監視データの指定等を行う機能選択画面Ｇ２を付加した初期監視画面Ｇ３またはプラント監視画面Ｇ１だけの初期監視画面Ｇ３を表示する（Ｓ２１）。
【００５７】
引き続き、監視制御装置４は監視機器特定判断手段４４ｅを実行する。監視機器特定判断手段４４ｅは、プラント監視画面Ｇ１に連なる複数の機器シンボルの中の何れかの機器シンボルにタッチしたか否かを判断する（Ｓ２２）。機器シンボルにタッチされた場合、当該機器シンボルのシンボルＩＤのもとに、機器管理テーブル４３ｄを参照し、監視対象機器を特定するとともに、その特定された監視対象機器に対応する複数の特定監視データを取り出し、特定機器用の機能選択画面Ｇ２ａを作成し、初期監視画面Ｇ３の所定の位置に表示する（Ｓ２３）。
【００５８】
しかる後、監視制御装置４は機能選択判定手段４４ｂを実行する。機能選択判定手段４４ｂは、初期監視画面Ｇ３を表示した後、監視員が入力部４１のマウスカーソルを、機能選択画面Ｇ２のマウスオーバー機能に表示されるチェックボックスＢ１をクリックしチェックマーク「レ」を付したか、すなわちマウスオーバー機能が選択されたか否かを判定する（Ｓ２４）。
【００５９】
ここで、監視制御装置４は、チェックボックスＢ１にチェックマーク「レ」が付されていない場合、マウスオーバー機能の選択有無を繰り返し確認するが、チェックマーク「レ」が付されていると判定したとき、特定監視データ指定判断手段４４ｃを実行する。
【００６０】
特定監視データ指定判断手段４４ｃは、マウスオーバー機能を選択したと判定したとき、図３（ａ）に示す監視項目フラグ管理部のマウスオーバー機能選択フラグ部にフラグ「１」を設定した後（Ｓ２５）、監視員がマウスカーソルにて機能選択画面Ｇ２の指定ボックスＢ２１、Ｂ２２、…の何れかをクリックしたか、つまり何れの特定監視データの指定ボックスＢ２１、Ｂ２２、…にチェックマーク「レ」が付されたか否かを判断する（Ｓ２６ａ〜Ｓ２６ｎ）。
【００６１】
ここで、何れかの指定ボックスＢ２１、Ｂ２２、…に指定マーク「レ」が付されたとき、当該指定ボックスに連なる特定監視項目ＩＤに対応するＩＤフラグ部にフラグ「１」を設定し（Ｓ２７）、画面作成処理手段４４ｄを実行する。
【００６２】
画面作成処理手段４４ｄは、特定監視項目ＩＤが存在すると判断したとき、ポンプ井２２のシンボルの所定位置に付加すべく、監視画面データ記憶部４３ａから必要な個別画面（例えば絵柄画面）である図７に示すような所定の大きさの枠画面を取り出し、当該枠画面領域内にトレンドデータであるポンプ井２２の水位データを書込むことでシンボル付加画面Ｇ４を作成し表示する（Ｓ２８）。
【００６３】
引き続き、画面作成処理手段４４ｄは、監視員がトレンドデータの表示されるシンボル付加画面Ｇ４上にマウスポインタを重ね合わせてクリックしたか（Ｓ２９）、つまり画面拡大指示を入力したか否かを判断し（Ｓ２９）、指示有りと判断したとき、図８に示すように表示部４５の画面全体にトレンドデータであるポンプ井２２の水位データの変化を表す拡大画面Ｇ５を作成し表示する（Ｓ３０）。
【００６４】
しかる後、画面作成処理手段４４ｄは、表示継続の有無を判断し（Ｓ３１）、表示継続有りの場合にはステップＳ１１に戻って拡大画面Ｇ５を表示し続けるが、例えば拡大画面Ｇ５内に形成された消去ボタンＣがクリックされたときには（Ｓ３２）、既に設定されたフラグをクリアする一方、ステップＳ２１に戻って図６に示す初期監視画面Ｇ３を表示する。
【００６５】
従って、以上のような実施の形態２によれば、監視対象機器の機器シンボルにタッチし、当該監視対象機器に対応する特定監視データの一覧を表示し、実施の形態１と同様な手順に従いマウスオーバー機能の選択及び特定監視データの指定を行い、必要とする特定監視データに関するシンボル付加画面Ｇ４及び拡大画面Ｇ５を表示するので、実施の形態１と同様な効果を奏する。
【００６６】
また、各監視対象機器には、機器シンボル近くに表示する常時監視データの他に、それぞれ異なる多数の特定監視データが存在するが、予め機器シンボルにタッチすれば、機器シンボルに対応する監視対象機器に関連する特定監視データの一覧を示す機能選択画面Ｇ２が表示されるので、監視員は監視に必要な特定監視データを確実に指定でき、容易に観察可能なシンボル付加画面Ｇ４やその拡大画面Ｇ５を表示することができる。
【００６７】
（その他の実施の形態）
（１）  上記実施の形態では、サーバシステム３が周期的にプラント設備系２を構成する全監視対象機器に関連する監視データを収集し、通信用ネットワーク１を介して監視制御装置４に配信する構成となっているが、例えば監視制御装置４は、サーバシステム３を経由せずに直接プラント設備系２の全監視対象機器に関連する監視データを収集する構成であってもよい。
【００６８】
（２）  上記実施の形態では、プラント設備系２として、例えば上水道の水処理設備の一例を説明したが、電力プラント、鉄鋼プラント、製紙プラント、下水処理プラント等の目的に応じて、監視対象とする機器が全く異なり、また監視対象機器の数に応じて複数のコントローラに分けて機器分担を図りつつ外部からの指示のもとに機器を制御し、その制御に従って機器から必要な監視データを収集するものである。
【００６９】
（３）  さらに、上記全ての実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…通信用ネットワーク、２…プラント設備系、３…サーバシステム、４…監視制御装置、２１…流量調整弁、２２…ポンプ井、２３…送水ポンプ、２４…配水槽、２５，２６…水位計、２７…コントローラ、２８…テレメータ装置、３１…サーバ処理本体部、３２…データベース、４１…入力部、４３…補助記憶装置、４３ａ…監視画面データ記憶部、４３ｂ…フラグデータ管理部、４３ｃ…監視データ記憶部、４３ｄ…機器管理テーブル、４４…監視制御処理部、４４ａ…初期監視画面表示手段、４４ｂ…機能選択判定手段、４４ｃ…特定監視データ指定判断手段、４４ｄ…画面作成処理手段、４４ｅ…監視機器特定判断手段。
【図１】
2014035732.tif 000003
【図２】
2014035732.tif 000004
【図３】
2014035732.tif 000005
【図４】
2014035732.tif 000006
【図５】
2014035732.tif 000007
【図６】
2014035732.tif 000008
【図７】
2014035732.tif 000009
【図８】
2014035732.tif 000010
【図９】
2014035732.tif 000011
【図１０】
2014035732.tif 000012
【図１１】
2014035732.tif 000013
【図１２】
2014035732.tif 000014
【図１３】
2014035732.tif 000015